Podtech/llm-jp-corpus-v4-ja_patent huggingface dataset:
(57)【要約】【課題】引き込み線の張力を確実簡単に固定して引き留めて、前後の張力だけ引き留めるのでは無くＬ字方向の張力を引き留める。【解決手段】線を巻き付ける筒に分割する溝を付けて。線を溝にはめて筒に線を巻き取るとＺ状に線が筒に巻き付けば線がエッジに鋭く曲がり、線が強力に引き留め具に固定する。その状態を維持するための丁字状の巻き戻り防止フックをどの方向にも引き出せるように筒の外側に放射状に配置する。【選択図】図１
2013063005.tif 000002
【特許請求の範囲】
【請求項１】
線の張力を、巻き付けて摩擦力で固定する為の筒状部分に分割する溝を付けて外側に線の巻き戻り防止の丁字状フックを放射状にどの角度でも向けて線を引き出せるようつける。
【発明の詳細な説明】
【技術分野】
【０００１】  本発明は、電柱から電線や光ファイバー線の家屋への引き込み線の、張力を維持しながら固定する器具に関する。
【背景技術】
【０００２】  引き込み線の設置工事は、電線を引きよせて引き止め具に巻きつけて緩まないような力仕事を高所の足場が不安定な場所で作業しなければならない。【０００３】  しかし、電線の張力を維持するには筒状部分に線を巻きつける摩擦力では不足なので前のカギ状部分にも巻き付けたり、筒状部分に何度も巻き付けなければ成らなかった。【０００４】  したがって設置工事するには電線を引っ張る右手と器具を引き寄せる左手の持ち替えずに巻き付け作業することが難しい。【０００５】  この改善策として、本考案の引き留め具の筒状部分の溝に線を通して回転させると、筒状部分に線が巻き付く、線のたるみが巻き付けば外周部分の鍵にかけて巻き戻りを止めてから器具をフックに固定すればよい。
【特許文献１】特開２００１−３７０５４号公報
【特許文献２】実用新案出願２００１−７６５８号公報
【発明が解決しようとする課題】
【０００６】  解決しようとする問題点は、筒状部分に巻きつける摩擦力だけでは線の引っ張り力に負けるので線を何度も巻き付け終わるまで緩められない事です。
【課題を解決するための手段】
【０００７】  本発明の引き留め具の筒を分割する溝に線をはめて回転させると、線はＺ状に鋭く折れ曲がる。２箇所の鋭くとがった形が引き留め具と線を強力に固定する。
【発明の効果】
【０００８】  本発明の、線を巻きつける筒状ボビンの中の溝に線をはめて線のたるみを、巻き取った後丁字フックにかけて巻き戻りを防止すると線と引き留め具が一体化しているので力強く引っ張れる。その状態に成って後一時だけ引き留め具を引っ張って固定する。線を巻き終えるまで引っ張り続けなくて良い
【発明を実施するための最良の形態】
【０００９】  外周の回りの巻き戻りを防止するための丁字状のフックを放射状に多く付ける事で線の引っ張りが横方向から縦方向に両方向有るので従来の引き留め具ではＬ状に配線するには横に１個縦に１個、２個必要であったのが本考案の引き留具は１個で済むようになった。設置の手間も半分で済みます。
【実施例１】
【００１０】  図１は、本発明器具の１実施例の正面図と断面図であって、１〜５は、図２と同様である。【００１１】  図２は、線の張力が垂直にかかった状態の実施例です。【００１２】
【産業上の利用可能性】
【００１３】  引き留める線は電話線や、光ファイバーその物で無く、細く弱い光ファイバーを保護している強くて硬い鋼線を分離して巻き付けて引き留める
【図面の簡単な説明】
【００１４】
【図１】本考案の引き留め具とその断面図（実施例１）
【図２】本考案の引き留め具に線を直線状に引き留めた形を表す。（実施例２）
【図３】本考案の引き留め具に線を左から垂直に引き留めた形を表す。（実施例３）
【図４】本考案の引き留め具に線を右から垂直に引き留めた形を表す。（実施例４）
【符号の説明】
【００１５】１  ループ状の掛け金
２  本体
３  筒を分ける溝
４  線を巻き付ける筒
５  線の巻き戻り防止の丁字状フック
【図１】
2013063005.tif 000003
【図２】
2013063005.tif 000004
【図３】
2013063005.tif 000005
【図４】
2013063005.tif 000006
(57)【要約】【課題】  要介護者本人が人としての尊厳を保ちご家族の負担を軽減し、闘病生活が快適に、衛生的な介護ベッドが出来ないか模索した。【解決手段】  介護ベッドに排泄用の穴をあけ、健常時の便座姿勢になる様な形状に変化するベッドにして、穴の下に、瞬間的に消臭して固化する固化剤を組み合わせ、又、穴の直下に室内への臭気感染を防ぐため円形の筒をつけ、又、排泄後の洗浄乾燥が出来る様ベッドの裏部にチューブ管を這わせて石油ポンプ、水鉄砲の原理にて水タンクを用意してチューブ管の一方にポンプ柄を、便座部先端にジョーロ状の部品を取り付けた。又、誰でも簡単に加工、工作が出来る木材を利用することで、介護用穴あきベッドを提供する。【選択図】図１
2013063237.tif 000002
【特許請求の範囲】
【請求項１】
要介護者本人が自力で排泄ができ、室内への臭気感染を防ぎ洗浄、乾燥の機能を有す穴あきベッド
【発明の詳細な説明】
【技術分野】
【０００１】  本発明は要介護者本人がご自身で排泄でき、さらに洗浄、乾燥もできる寝介護用穴あきベッドに関する。
【背景技術】
【０００２】  従来ベッドに穴が開いているのは、緊急搬送用のストレッチャーや施療用ベッドでうつぶせ時の呼吸用のためのものであり、介護用ベッドでは電動にてベッドの動きやベッドクッションの改良等が主で排泄は介護者まかせであり、要介護者本人の尊厳、また排泄物まみれの不快さ、非衛生さは改善されてはいない。
【特許文献１】特開２００９−１８９７５８  公報
【発明の開示】
【発明が解決しようとする課題】
【０００３】  一番排泄に適している姿勢は洋式便器に座った姿勢が適している、寝ながらでは本来排出に適した姿勢ではない。そこでそういう姿勢での排出行為が出来る便座式でしかも洗浄が出き、乾燥が出来る介護ベッドが出来ないか研究模索した。
【課題を解決する手段】
【０００４】  排泄行為が出来るようにするためにはベッドに穴をあけることである。それに加工は工作が簡単に行える木製ベッドにした、便座部を二重板にして足を付け、下部板に穴をあけ上部板を引っ張り式にした又下部穴あけ周辺にＰ．Ｐ素材等での円筒を取り付けることで室内の臭気の空気感染を防ぐ効果をもたせた。また円筒には二箇所穴をあけ、洗浄用、乾燥用とし、したがって、大量の排泄物でも瞬間的に消臭し固化する固化剤は、筒下に直接取り付ける１回用パック式か、筒直下に数回用の容器に入れる方式があり、これで本人が自力で排泄が可能になる。
【発明の効果】
【０００５】  この組み合わせ活用により、要介護、寝たきり病人のいるご家庭の精神、肉体面、経済面での負担が大幅に軽減されるばかりか、なにより病人本人が健康時のように排泄行為ができるので快適かつ衛生的なのである。
【発明の実施するための最良の形態】
【０００６】  木製ベッドを頭部板、背もたれ板、便座板上部、足元板、便座板下部、穴あき部に分け折りたたみ部に蝶番を用いた、又、木製ベッドの裏側に医者の聴診器のような細いポリチューブ管を分岐させ、水鉄砲の要領にて先端を穴の中心部に向くように配し、末端を手動用のゴムポンプの柄を付ける、もう一方も同様に、ただこちらは空気を送り、お尻を乾燥させるものなので水タンクはいらない、この方式により、寝たきり病人が排泄後、お尻の洗浄・乾燥が出来るし、又、工作が楽な穴あきベッドだと、器用な人だと日曜大工感覚で、又、木工屋さん等ですぐ作れる、したがって、関連産業（ベッド・家電）が何年もかけた開発品を持つこともなくすぐ活用できる、又、水タンクに過酸化水素を数滴たらし、オキシウル効果が得られ、又、芳香消臭剤をたらすことも病人にとっては快適になる。
【０００７】  したがって敷き布団やウレタン地も、便座部分を分離裁断し防水化を施す、又、便座部は木製部の引っ張り分離に合わせ分割にして防水化をしておく、又、木製便座部は座りやすくするため背もたれ部のへりに傾斜をもたせるとか、防水クッション材を貼る等座り心地の向上を図った、又、円筒内に挿入したチューブ管の先端にじょうごのような多孔質の部品等を取り付け水や空気の拡散を図った。この製作品にてごく少数の関係家族に使ってもらい、御家族様はもとより、要介護ご本人様が涙を流して喜んでくれたそうで、又、製作者も万単位ですむ穴あきベッドが提供できる。
【図面の簡単な説明】
【０００８】
【図１】木製ベッドの側面図
【図２】便座部の断面図
【符号の説明】
【０００９】１  下部便座部板  ２  上部便座部板  ３  背もたれ部板  ４  頭部板  ５  ベッド脚部  ６  便座部脚部  ７  蝶番  ８  チューブ管  ９  水タンク  １０  固化剤  １１  固化剤容器  １２  便座下部円形筒  １３  チューブ管受具  １４  チューブ管取手  １５  チューブ管挿入穴  １６  下部便座板脚部  １７  チューブ管便座部ジョーロノズル  １８  チューブ管止め具  １９．上部便座部引取手  ２０．円形筒留め具  ２１．下部便座穴あき部  ２２．傾斜部防水生地
【図１】
2013063237.tif 000003
【図２】
2013063237.tif 000004
(57)【要約】      （修正有）【課題】マンションのベランダでの布団干しで日光が当たるようにした布団干し具を提供する。【解決手段】布団を乗せる布団台１と、布団台１を乗せる丸棒状のスライド台２と、布団台１に丸棒に嵌合するガイド５を取り付けて布団台１を前後へ滑らし移動する機構を設けることで、布団台１をベランダの壁１８上から外側へ出すようにした布団干し具。【選択図】図３
2013063275.tif 000002
【特許請求の範囲】
【請求項１】
スライド台（２）を丸棒状にし、これに乗せる布団台（１）に丸棒に嵌合するガイド（５）を取り付け、布団台（１）を前後に滑らし移動をできるようにした布団干し具
【発明の詳細な説明】
【技術分野】
【０００１】この発明はベランダの布団干し具に関するものである。
【背景技術】
【０００２】従来、マンションのベランダでの布団干しは日陰が多いため布団に日光が当たるのは少しで、また、日当たりの時間も短かった。そのため日光を多く当てようとするには壁に掛けるしかなかったが、しかしこれでも日当たりは布団全面の半分ぐらいであった。ただ、公報文献には日当たりが多いものがあるが満足とまではならないようである。
【先行技術文献】
【特許文献】
【０００３】
【特許文献１】特許公開  ２００６−４３０７０
【特許文献２】特許公開  ２００１−１７７９６
【発明の概要】
【発明が解決しようとする課題】
【０００４】マンションのベランダでの布団干しは日当たりが少なく、これを解消するため布団を広げて全面に日光が当たるようにする。
【課題を解決するための手段】
【０００５】布団を広げて乗せる布団台（１）と、この布団台（１）を乗せるスライド台（２）に布団台（１）を前後に移動する機構を設け、布団台（１）をベランダ壁の上から日当たりのよい外側へ出す布団干し具にする。
【発明の効果】
【０００６】本案の布団干し具では布団の全面に日光が当たるようになる。
【図面の簡単な説明】
【０００７】
【図１】本発明の概略斜視図である。
【図２】本発明スライド台の正面図である。
【図３】本発明スライド台の側面図である。
【図４】布団押さえ
【発明を実施するための形態】
【０００８】本案は同出願人の平成２４年１０月５日の特許願（布団干し具）を製作のより簡易なものにした布団干し具で、スライド部を外へ向け収納部を壁（１８）の内側に固定し、スライド部に布団台（１）を乗せ前後に滑らせるようにしたものである。二本のスライド台（２）は布団台（１）の二本の補強材（４）の間隔に合して固定する。スライド台（２）は丸棒状とし、水平方向のスライド部と、これとほぼ直角に曲がった縦方向に収納部を有し、収納部の丸棒の下部分を立て板（３）でベース（１７）に固定する。リング（６）をコの字型の枠に固定したガイド（５）をスライド部に通し補強材（４）の中ほどに取り付けて布団台（１）を滑り移動できるようにする。先端に突起を設けた突起部（８）を固定した四角のストッパー（７）をスライド部に通し、ベース（１７）に取り付けた筋交い（９）で固定する。補強材（４）の先端部と中ほどには数個ピン穴（１３）をあける。布団台（１）の上下動防止のためベース（１７）の上部に長短の支持部材（１１）（１２）２本を取り付ける。穴をあけたＬ型のストッパー（１０）を収納部の丸棒に通しベースに固定する。ストッパー（１０）は立て板（３）を付ける前に丸棒に通しておく。布団台（１）の前後の枠に枠穴（１４）を数個あけ、底は網目状にする。
使用するときは収納部にある布団台（１）をガイド（５）を滑らせてスライド部へ移動し前に倒す。これに布団を広げ日差しのところへ布団台（１）を移動してガイド（５）がストッパー（７）に当たったところで長支持部材（１１）と補強材（４）のピン穴（１３）を合わしピンを差す。布団台（１）の移動幅は筋交い（９）を伸縮してストッパー（７）を調整する。布団の落下防止に複数の布団押さえ（１５）を枠穴（１４）に取り付ける。布団押さえ（１５）にパイプを用い、手前の枠穴（１４）にねじ部（１６）を設けボルトを締めてパイプの中へ入れ外れないようにする。布団を取り入れるときは支持部材（１１）を外し、布団台（１）を手前に引き寄せてピンを差し布団押さえ（１５）を外す。布団を取り上げた後ピンを外し縦の収納部へ布団台（１）を滑らし収納する。短支持部材（１２）と補強材（４）のピン穴（１３）を合わしピンを差す。
実施例は以上に限らずスライド台（１）はパイプ製でもよく、ガイド（５）は丸棒との接面をリング（６）の代わりに半球状のものにしてもよい。また、リング（６）に立て板（３）の厚みの切れ目を入れ丸棒をベース（１７）の上部に固定してもよい。この場合、筋交い（９）を設けずにすみ、ベース（１７）も短くてよい。ストッパー（１０）は下に設ける。布団押さえ（１５）としては目の大きな網を被せてもよい。
【符号の説明】
【０００９】１布団台
２スライド台
３立て板
４補強材
５ガイド
６リング
７ストッパー
８突起部
９筋交い
１０ストッパー
１１長支持部材
１２短支持部材
１３ピン穴
１４枠穴
１５布団押さえ
１６ねじ部
１７ベース
１８壁
【図１】
2013063275.tif 000003
【図２】
2013063275.tif 000004
【図３】
2013063275.tif 000005
【図４】
2013063275.tif 000006
(57)【要約】【課題】爪切りの時、爪切り本体と爪切りカバーとの隙間から、爪が飛び出さないように前記の隙間をなくし、側面にスリットを設けた、爪が飛び出さない爪切りカバーを提供する。【解決手段】爪切りカバー▲２▼の、刃の側部にスリット▲３▼を設けた、爪が飛び出さない爪切りカバーを特徴とする。【選択図】図１
2013063274.tif 000002
【特許請求の範囲】
【請求項１】
爪切りの飛散防止カバー（図１▲１▼）の刃の側部にスリット（図１▲２▼）を設け、切った後の爪が外に飛び出さないことを特徴とする、爪が飛び出さない爪切りカバー。
【請求項２】
前記スリット（図１▲２▼）を複数有する（図２▲４▼）請求項１に記載の爪切りの飛散防止カバー。
【請求項３】
前記スリットをブラシ状（図３▲５▼）にした請求項１に記載の爪切りの飛散防止カバー。
【請求項４】
前記請求項１，２，３のスリット部分を部分的に制作し隙間のある爪切り飛散防止カバーに、はめ込み式や接着などにより、前記請求項１，２，３と同様の機能を持たせることのできるスリット部分の部品。
【発明の詳細な説明】
【技術分野】
【０００１】この発明は爪切りの飛散防止カバーの側面にスリットを入れることにより、爪を切るとき、外に爪が飛び出さない爪切りカバーに関するものである。
【背景技術】
【０００２】従来、爪切りの飛散防止カバーには爪を切るとき、カバーが爪に接触し邪魔にならないよう、刃の側部にＵ字に切った開口部（図４▲６▼）があったり、刃の側部より手前で控えて作られていて大きな隙間（図５▲７▼）があった。
【先行技術文献】
【０００３】
【発明の概要】
【発明が解決しようとする課題】
【０００４】これは次のような欠点があった。
従来、爪切りカバーの刃の側部の、Ｕ字に切った開口部（図４▲６▼）や、圧接する刃より手前で控えて作られたカバーと、爪切りの刃の部分との隙間（図５▲７▼）から、切った爪が飛び出すことがよくあった。
本発明は、以上のような欠点をなくすためになされたものである。
【課題を解決するための手段】
【０００５】爪切り本体（図１▲３▼）に、取り付ける飛散防止カバーの従来の隙間（図４▲６▼、図５▲７▼）をなくし、刃の側部にスリット（図１▲２▼）を設ける。
【発明の効果】
【０００６】従来の爪切り飛散防止カバーが、爪に接触し邪魔にならないように設けていたＵ字の開口部（図４▲６▼）や、爪切りの刃の側部より控えて作られたカバーと刃との隙間（図５▲７▼）をなくし、スリット（図１▲２▼）を入れることにより、爪を切るときには邪魔にならず、かつ、爪が飛び出さない爪切りカバーとなる。
【図面の簡単な説明】
【０００７】
【図１】本発明の斜視図である。
【図２】複数のスリットの斜視図である。
【図３】ブラシ状のスリットの斜視図である。
【図４】従来のＵ字開口部の斜視図である。
【図５】従来の隙間の斜視図である。
【発明を実施するための形態】
【０００８】以下、本発明を実施するための形態について説明する。
爪切り本体（図１▲３▼）の側面を、隙間なく覆うように取りつける飛散防止カバー（図１▲１▼）をゴムなどの柔らかい素材を使用し、カバー側面の刃の側部に位置する部分にスリット（図１▲２▼）を入れる。本発明は以上のような構造である。
この構造により、切る前の爪はスリットをすり抜け、カバーが邪魔になることはないので従来通りに爪を切ればよい。
またその他の応用として、複数のスリット（図２▲４▼）又、ブラシ状（図３▲５▼）にすることで爪を切るときには邪魔になることのない、爪が飛び出さない爪切りカバー。
【符号の説明】
【０００９】▲１▼爪切りカバー
▲２▼スリット
▲３▼爪切り本体
▲４▼複数のスリット
▲５▼ブラシ状のスリット
▲６▼従来の開口部
▲７▼従来の隙間
【図１】
2013063274.tif 000003
【図２】
2013063274.tif 000004
【図３】
2013063274.tif 000005
【図４】
2013063274.tif 000006
【図５】
2013063274.tif 000007
(57)【要約】【課題】コンデンサ装置が状況によっては横向きや逆さといった状態で設置される場合がある。そのような場合には、コンデンサ素体は容器内で固定されていないため、コンデンサ素体が容器６内で動いてしまい、コンデンサ素体と容器間の絶縁距離が変わってしまうといった問題があった。また、コンデンサ素体が容器内で動くことでコンデンサ素体が保安装置に接触してしまうといった問題もあった。【解決手段】シート状の誘電体と電極箔とからなるコンデンサ素子が筒状に巻回された後に扁平状に成形され、前記コンデンサ素子が複数並設され集合板で挟まれコンデンサ素体が形成され、前記コンデンサ素体が容器に収納された後に絶縁媒体が充填されたコンデンサ装置において、前記コンデンサ素体と前記容器との間に固定部材を設けたことを特徴としている。【選択図】図１
2013191715.tif 000002
【特許請求の範囲】
【請求項１】
シート状の誘電体と電極箔とからなるコンデンサ素子が筒状に巻回された後に扁平状に成形され、前記コンデンサ素子が複数並設され集合板で挟まれコンデンサ素体が形成され、前記コンデンサ素体が容器に収納された後に絶縁媒体が充填されたコンデンサ装置において、前記コンデンサ素体と前記容器との間に固定部材を設けたことを特徴とするコンデンサ装置。
【発明の詳細な説明】
【技術分野】
【０００１】
本発明は、シート状の誘電体と電極箔とからなるコンデンサ素子が複数並設されて容器内に絶縁媒体とともに封入されている電力用などに使用されるコンデンサ装置に関するものである。
【背景技術】
【０００２】
従来技術について図２を用いて説明する。図はコンデンサ装置の内部概略を示している。ポリプロピレン等の誘電体フィルムや紙などのシート状の誘電体と一対のアルミニウムなどの電極箔とが交互に重ね合わされて筒状に巻回された後に、扁平状に成形されてコンデンサ素子１が構成される。そして、複数個のコンデンサ素子１が集合板２によって挟まれ、集合バンド３によって緊縛されてコンデンサ素体４が構成される。
【０００３】
集合バンド３は、例えばナイロンやポリプロピレンといった材質のものが使用される。これらの材質の集合バンドは、熱を加えると融着するので、容易に複数のコンデンサ素子を緊縛することができる。
【０００４】
コンデンサ素体４は保安装置５と共に容器６に収納され、絶縁油や絶縁ガスといった絶縁媒体が充填された後、密閉されてコンデンサ装置が完成する。容器６は通常金属製のタンクや缶で構成される。
【０００５】
さらに、容器６には配電線接続用のブッシング７が１本あるいは複数本取り付けられており、これらのブッシング７に配電線が接続される。
【先行技術文献】
【特許文献】
【０００６】
【特許文献１】特開２００８−２０５３２８号公報
【発明の概要】
【発明が解決しようとする課題】
【０００７】
コンデンサ装置が状況によっては横向きや逆さといった状態で設置される場合がある。そのような場合には、コンデンサ素体４は容器６内で固定されていないため、コンデンサ素体４が容器６内で動いてしまい、コンデンサ素体４と容器６間の絶縁距離が変わってしまうといった問題があった。また、コンデンサ素体４が容器６内で動くことでコンデンサ素体４が保安装置５に接触してしまうといった問題もあった。
【課題を解決するための手段】
【０００８】
本発明は、シート状の誘電体と電極箔とからなるコンデンサ素子が筒状に巻回された後に扁平状に成形され、前記コンデンサ素子が複数並設され集合板で挟まれコンデンサ素体が形成され、前記コンデンサ素体が容器に収納された後に絶縁媒体が充填されたコンデンサ装置において、前記コンデンサ素体と前記容器との間に固定部材を設けたことを特徴としている。
【発明の効果】
【０００９】
コンデンサ素体と容器との間に固定部材を設けたことによって、コンデンサ素子と集合板を集合バンドで緊縛する必要がなくなり、作業工数の低減を図ることができる。また、コンデンサ装置が横向きや逆さ配置になっても、コンデンサ素体が固定部材によって容器内で固定されているので、コンデンサ素体と容器間の絶縁距離は変わることがなく、しかも、コンデンサ素体が保安装置に接触することなく、コンデンサ装置の信頼性が向上する。
【図面の簡単な説明】
【００１０】
【図１】図１は本発明の実施形態に係るコンデンサ装置の断面図である。
【図２】図２は従来のコンデンサ装置の断面図である。
【発明を実施するための形態】
【００１１】
以下、本発明の実施例について図１を用いて説明する。図はコンデンサ装置の内部概略を示している。コンデンサ素子１は、ポリプロピレン等の誘電体フィルムや紙などのシート状の誘電体と一対のアルミニウムなどの電極箔とが、交互に重ね合わされて筒状に巻回された後に扁平状に成形される。
【００１２】
そして、扁平状に成形されたコンデンサ素子１が複数個並設された後に、コンデンサ素子１の上下に集合板２が設置され、コンデンサ素体４が構成される。
【００１３】
コンデンサ素体４が容器６に収納され、コンデンサ素体４の上部に固定部材８が設置される。そして、固定部材８の上側に蓋板９が取り付けられる。固定部材８が蓋板９によって押さえつけられることになり、コンデンサ素体４が容器６内で動くことなく固定されることになる。そして、容器６内に絶縁油等の絶縁媒体が充填されてコンデンサ装置が完成する。
【符号の説明】
【００１４】
１    コンデンサ素子
２    集合板
３    集合バンド
４    コンデンサ素体
５    保安装置
６    容器
７    ブッシング
８    固定部材
９    蓋板
【図１】
2013191715.tif 000003
【図２】
2013191715.tif 000004